(57)【要約】      （修正有）【課題】マット形状の安定性を確保することができるうえ、マット周囲の通気性を向上させることで、優れた快適性が得られる成形マットを提供する。【解決手段】井草シート３Ａ、３Ｂ同士の間にウレタン材２が挟持されて積層され、ウレタン材２を挟持するシート材の両方が井草シート３Ａ、３Ｂからなり、これら井草シート３Ａ、３Ｂに挟持される面には、金型を用いた熱圧縮成型によって凹溝５ａ、５ｂが形成され、横凹溝５ａの延在方向が繊維方向に一致している構成の井草マット１を提供する。【選択図】図１
0003180418.tif 000002
【実用新案登録請求の範囲】
【請求項１】
繊維方向を一方向に向けた天然素材シートを用いた成型マットであって、
シート材同士の間にウレタンフォーム材が挟持されて積層され、
前記ウレタンフォーム材を挟持するシート材のうち少なくとも一方が前記天然素材シートからなり、
前記少なくとも一方の天然素材シートに挟持される面には、金型を用いた熱圧縮成型によって凹溝が形成され、
前記凹溝の延在方向が前記繊維方向に一致していることを特徴とする成型マット。
【請求項２】
前記凹溝に直交する第２の凹溝が形成されていることを特徴とする請求項１に記載の成型マット。
【請求項３】
前記シート材は、当該成型マットの一方側が前記天然素材シートであり、他方側に防ダニや抗菌の機能を有する機能シートであることを特徴とする請求項１又は２に記載の成型マット。
【請求項４】
前記成型マットの一方側の面には、滑り止め素材が配置されていることを特徴とする請求項１乃至３のいずれか１項に記載の成型マット。
【請求項５】
隣り合う前記凹溝同士の間において、熱圧縮成型により他の凹凸部が形成されていることを特徴とする請求項１乃至４のいずれか１項に記載の成型マット。
【考案の詳細な説明】
【技術分野】
【０００１】
本考案は、井草等の天然素材を積層させて成型してなる成型マットに関するものである。
【背景技術】
【０００２】
従来、例えば下記特許文献１に示されるように、井草シートを用いて形成されたクッションや敷きマットが知られている。また、井草シートで形成された袋体の内部にウレタンフォーム材を入れて、クッション性をもたせた敷きマットがある。
【先行技術文献】
【特許文献】
【０００３】
【特許文献１】特開２００３−２０５３９号公報
【考案の概要】
【考案が解決しようとする課題】
【０００４】
しかしながら、上述した従来の敷きマットでは、内部のウレタンフォーム材が袋状の井草シート内で動いてしまい、双方間で接触することによる擦れ音がしたり、ウレタンフォーム材が井草シート内で偏った位置に移動する等、形状が不安定になり易く、使い心地が低下するという問題があった。
また、袋状の井草シートの上下面が、平らに形成されているので、敷きマットの使用時には、敷きマットと床面或いは人との間での通気性が悪く、とくに気温の高い時期において快適性が低く、その点で改善の余地があった。
【０００５】
本考案は、上述する問題点に鑑みてなされたもので、マット形状の安定性を確保することができるうえ、マット周囲の通気性を向上させることで、優れた快適性が得られる成型マットを提供することを課題とする。
【課題を解決するための手段】
【０００６】
上記目的を達成するため、本考案に係る成型マットでは、繊維方向を一方向に向けた天然素材シートを用いた成型マットであって、シート材同士の間にウレタンフォーム材が挟持されて積層され、前記ウレタンフォーム材を挟持するシート材のうち少なくとも一方が前記天然素材シートからなり、前記少なくとも一方の天然素材シートに挟持される面には、金型を用いた熱圧縮成型によって凹溝が形成され、前記凹溝の延在方向が前記繊維方向に一致していることを特徴としている。
【０００７】
本考案による成型マットは、例えば井草などからなる天然素材シートを使用したシート材でウレタンフォーム材を挟持した積層体を、金型を用いた熱圧縮成型によって形成された凹溝と、非熱圧縮部をなす凸部と、からなる凹凸部がシート材の表面に形成される。そのため、前記凸部においてウレタンフォーム材によってクッション性が確保されるとともに、表面に形成される凹凸形状により通気性を確保することができ、しかも天然素材による良好な感触も得られることから、使用時の快適性を向上させることができる。
また、内部のウレタンフォーム材とシート材とが同時に熱圧縮成型により圧着されているので、シート材に対してウレタンフォーム材がずれたり動くことがなくなり、それによる擦れ音を抑えることができるとともに、ウレタンフォーム材がシート材同士の間で偏った位置に移動して不安定な形状になることを防止することができることから、快適性を向上させることができる。
【０００８】
さらに、本考案による成型マットでは、天然素材シートに形成される凹溝の延在方向が天然素材シートの繊維方向に一致しているので、当該成型マットが凹溝に直交する方向から丸め易くなる。また、凹溝を折り目にして折り畳み易くなるので、コンパクトに収納することができる利点がある。
【０００９】
また、本考案に係る成型マットでは、前記凹溝に直交する第２の凹溝が形成されていることが好ましい。
【００１０】
このような特徴により、成型マットの表面に互いに直交する格子状の凹溝が形成され、より多くの凹凸部が形成されるので、前述した通気性をさらに高めることができるうえ、凸部をマット全域にわたって均等に配置させることができ、クッション効果も向上させることができる。
【００１１】
また、本考案に係る成型マットでは、前記シート材は、当該成型マットの一方側が前記天然素材シートであり、他方側に防ダニや抗菌の機能を有する機能シートであってもよい。
【００１２】
この場合、長時間の使用など悪条件での使用であっても、機能シートが配される面を床面側に向けて用いることで、ダニや菌の発生を防止することができ、しかも前述のように通気性も確保されているので、快適性の高い成型マットを実現することができる。
【００１３】
また、本考案に係る成型マットでは、前記成型マットの一方側の面には、滑り止め素材が配置されていてもよい。
【００１４】
このような特徴により、当該成型マットを敷設する床面がシート材との摩擦抵抗が小さく滑り易い木材やタイルなどの場合であっても、滑り止め素材を配置した成型マットの一方側の面を床面側にして敷設することで、滑りにくくすることができる。
【００１５】
また、本考案に係る成型マットでは、隣り合う前記凹溝同士の間において、熱圧縮成型により他の凹凸部が形成された構成とすることもできる。
【００１６】
このような特徴により、シート材の表面に隣り合う凹溝同士に形成される凸部内にさらに他の凸部が設けられるので、該他の凸部の面積を小さくすることができ、クッション性のみならず、より高い凹凸感が得られ、指圧効果も備えた成型マットを実現することができる。
【考案の効果】
【００１７】
本考案の成型マットによれば、熱圧縮成型によりウレタンフォーム材がシート材に対して圧着されて動かなくなるので、ウレタンフォーム材が偏った位置に移動することがなく、マット形状の安定性を確保することができる。
また、本考案の成型マットによれば、シート材の表面に凹凸部が形成されるので、マット周囲の通気性を向上させることができ、優れた快適性が得られる効果を奏する。
【図面の簡単な説明】
【００１８】
【図１】本考案の実施の形態による井草マットの一部破断した斜視図である。
【図２】図１に示す井草マットを上から見た要部平面図である。
【図３】図１に示すＡ−Ａ線断面図である。
【図４】井草マットの成型方法を説明するための図である。
【図５】変形例による井草マットの断面図であって、図３に対応する図である。
【考案を実施するための形態】
【００１９】
以下、本考案の実施の形態による成型マットについて、図面に基づいて説明する。
【００２０】
図１乃至図３に示すように、本実施の形態による井草マット１（成型マット）は、熱圧縮性を有する板状のウレタンフォーム材（以下、単に「ウレタン材２」という）を板面の両上下面側から井草シート３（３Ａ、３Ｂ）（天然素材シート、シート材）で挟持して積層し、その両面側から加熱された格子状の金型４（図４参照）を用いた熱圧縮成型によって井草シート３Ａ、３Ｂの上面３ａおよび下面３ｂに格子状の凹溝５ａ、５ｂが形成されている。この井草マット１は、例えば昼寝用として敷設して用いられるものであり、縦長の布団用マット等と同等の大きさ、形状をなしている。
【００２１】
ここで、井草シート３は、天然素材である井草を原料として使用し、軽量で通気性を有し、その繊維方向（図１、２の斜線で示す井草の目）を一方向（ここでは、短辺方向Ｘに沿う方向）に向けて織り込まれたシート状の周知の部材を採用している。
一対の井草シート３Ａ、３Ｂは、ウレタン材２よりも平面視で大きく設定されており、４辺の外周縁部（図１に示す符号３ｃ）はウレタン材２を介して上下面の一対の井草シート３Ａ、３Ｂ同士で接合されている。ここでは、井草シート３Ａ、３Ｂ同士を接着や縫合してもよいし、勿論、縁部材を別途被せて、縁部の意匠性を高めてもよい。
【００２２】
井草マット１は、格子状に形成された凹凸部５の一方の横凹溝５ａの方向（ここでは短辺方向Ｘ）を、井草シート３の繊維方向に一致させて形成されている。これにより、本実施の形態の井草マット１は、長手方向Ｙに沿って丸めることができる。つまり、長手方向Ｙに延びる縦凹溝５ｂは、井草シート３の繊維方向に直交しているので、短手方向Ｘには丸めにくくなっている。
【００２３】
図４に示すように、金型４は、基板４１から格子状に突設した熱圧着部４２を備えている。その縦横の熱圧着部４２のうち一方向が井草シート３Ａ、３Ｂの繊維方向（図４では紙面に直交する方向）に沿って延在している。そして、加熱した状態で一対の井草シート３Ａ、３Ｂとウレタン材２とからなる積層体１０に対して上下両側から熱圧縮する。つまり、熱圧縮成型時には、一対の井草シート３Ａ、３Ｂとウレタン材２の積層体１０の上下面側のそれぞれに対して加熱した金型４を配置して挟持することで前記積層体１０を成型し、格子状の熱圧縮部分（図２に示す横凹溝５ａおよび縦凹溝５ｂ）が形成された井草マット１が成型される。そして、熱圧縮成型によって井草シート３に形成される一部（ここでは短手方向Ｘに沿う部分）の横凹溝５ａの延在方向が井草シート３Ａ、３Ｂの繊維方向に一致している。
【００２４】
なお、この井草マット１の成型条件としては、一般的なウレタン成型品と同様であり、熱圧縮時の温度、圧縮時間は井草シート３の種類、ウレタン材２の厚さ寸法などの条件に基づいて適宜設定することができる。
【００２５】
次に、上述した構成の井草マット１の作用について、図面に基づいて詳細に説明する。
図４に示すように、本実施の形態の井草マット１は、天然素材の井草を用いた上下一対の井草シート３Ａ、３Ｂでウレタン材２を挟持した積層体１０を、一対の金型４、４を用いた熱圧縮成型によって形成された図２に示す凹溝５ａ、５ｂと非熱圧縮部をなす凸部５ｃとからなる凹凸部５が井草シート３の表面に形成されることになる。
そのため、前記凸部５ｃにおいてウレタン材２によってクッション性が確保されるとともに、表面に形成される凹凸形状により通気性を確保することができ、しかも井草天然による良好な感触も得られることから、使用時の快適性を向上させることができる。
【００２６】
また、内部のウレタン材２と井草シート３Ａ、３Ｂとが同時に熱圧縮成型により圧着されているので、井草シート３Ａ、３Ｂに対してウレタン材２がずれたり動くことがなくなり、それによる擦れ音を抑えることができるとともに、ウレタン材２が井草シート３Ａ、３Ｂ同士の間で偏った位置に移動して不安定な形状になることを防止することができることから、快適性を向上させることができる。
【００２７】
さらに、井草シート３に形成される横凹溝５ａの延在方向が井草シート３Ａ、３Ｂの繊維方向に一致しているので、井草マット１が横凹溝５ａに直交する方向から丸め易くなる。また、横凹溝５ａを折り目にして折り畳み易くなるので、コンパクトに収納することができる利点がある。
【００２８】
また、井草マット１の表面に互いに直交する格子状の凹溝５ａ、５ｂが形成され、より多くの凹凸部５が形成されるので、前述した通気性をさらに高めることができるうえ、凸部５ｃをマット全域にわたって均等に配置させることができ、クッション効果も向上させることができる。
【００２９】
上述のように本実施の形態による成型マットでは、熱圧縮成型によりウレタン材２が井草シート３Ａ、３Ｂに対して圧着されて動かなくなるので、ウレタン材２が偏った位置に移動することがなく、マット形状の安定性を確保することができる。
また、井草シート３の表面に凹凸部５が形成されるので、マット周囲の通気性を向上させることができ、優れた快適性が得られる効果を奏する。
【００３０】
以上、本考案による成型マットの実施の形態について説明したが、本考案は上記の実施の形態に限定されるものではなく、その趣旨を逸脱しない範囲で適宜変更可能である。
【００３１】
例えば、本実施の形態では井草シート３の上面３ａおよび下面３ｂの両方に凹凸部５を形成しているが、この凹凸部５はいずれか一方の面のみであってもかまわない。例えば、図５に示すように、一対の井草シート３Ａ、３Ｂのうち上面３ａ側の井草シート３Ａのみに凹凸部５を形成し、下面３ｂは前記金型を使用せずに平面状としても良い。
【００３２】
また、本実施の形態では、ウレタン材２の上下両側に井草シート３Ａ、３Ｂを設けているが、これに限定されることはなく、井草マット１の上面側が天然素材シートの井草シート３であり、下面側に防ダニや抗菌の機能を有する機能シートを設ける構成とすることも可能である。この場合、長時間の使用など悪条件での使用であっても、機能シートが配される面を床面側に向けて用いることで、ダニや菌の発生を防止することができ、しかも前述のように通気性も確保されているので、快適性の高い井草マット１を実現することができる。
【００３３】
さらに、下面側の井草シート３Ｂに滑り止め素材が配置されていてもよい。この場合、井草マット１を敷設する床面が井草シート３Ｂとの摩擦抵抗が小さく滑り易い木材やタイルなどの場合であっても、滑り止め素材を配置した井草マット１の一方側の面を床面側にして敷設することで、滑りにくくすることができる。
【００３４】
また、本実施の形態の井草マット１では、格子状の凹凸部５を設けた構成としているが、隣り合う凹溝５ａ、５ｂ同士の間において、熱圧縮成型により他の凹凸部が形成された構成とすることもできる。この場合、井草シート３の上面３ａに隣り合う凹溝同士の間に形成される凸部５ｃ内にさらに他の凸部が設けられるので、該他の凸部の面積を小さくすることができ、クッション性のみならず、より高い凹凸感が得られ、指圧効果も備えた成型マットを実現することができる。
さらに、熱圧縮成型により形成される凹凸部５も格子状であることに限定されず、横凹溝５ａのみが形成されるように熱圧縮成型された構成であってもかまわない。要は、少なくとも天然素材（井草）の繊維方向に一致する凹溝が形成されていれば良いのである。
【００３５】
また、井草マット１の大きさや用途は、本実施の形態のような敷きマットであることに制限されることはなく、例えば座布団などを対象とすることも可能である。そのため、井草シート３（天然素材シート）やウレタン材２の厚さ寸法についても、所望の成型マットの形状等に応じて適宜変更可能である。
そして、本実施の形態では一対の井草シート３Ａ、３Ｂでウレタン材２を挟持する構成としているが、井草シート３を二つ折りにしてウレタン材２を挟持するようにしてもよい。
【００３６】
さらにまた、本実施の形態では天然素材として井草を採用しているが、井草の他に、和紙や海草等の天然素材を用いることも可能である。
【００３７】
その他、本考案の趣旨を逸脱しない範囲で、上記した実施の形態における構成要素を周知の構成要素に置き換えることは適宜可能である。
【符号の説明】
【００３８】
１  井草マット（成型マット）
２  ウレタン材（ウレタンフォーム材）
３、３Ａ、３Ｂ  井草シート（天然素材シート、シート材）
３ａ  上面
３ｂ  下面
４  金型
４ａ  熱圧着部
５  凹凸部
５ａ  横凹溝
５ｂ  縦凹溝
５ｃ  凸部
Ｘ  短手方向
Ｙ  長手方向
【図１】
0003180418.tif 000003
【図２】
0003180418.tif 000004
【図３】
0003180418.tif 000005
【図４】
0003180418.tif 000006
【図５】
0003180418.tif 000007